(57)【要約】      （修正有）【課題】引き出し部材の枠内の大きさに規制を受けないひな壇を提供する。【解決手段】ひな壇Ｈは、本体１の開放された天井を覆い、上面が載置台となる天井載置台１００と、右上隙間と左上隙間Ｒ２１とにそれぞれ挿入され、平面視、コ字状の第１の引き出し部材６１と、右下隙間と左下隙間Ｒ２２とにそれぞれ挿入され、平面視、コ字状の第２の引き出し部材６２とを備える。第１の引き出し部材６１が本体１から引き出された第１の引き出し部材６１の開放された天井は上面が載置台となる第１の載置台１０１で覆われ、第２の引き出し部材６２は、第２の正面引き出し部を有し、第２の引き出し部材６２が本体１から引き出された第２の引き出し部材６２の開放された天井は上面が載置台となる第２の載置台１０２で覆われている。【選択図】図４
0003188749.tif 000002
【実用新案登録請求の範囲】
【請求項１】
外形が略直方体形状で、天井が開放され、内部に収納部を有した本体と、
正面視、前記本体の右に位置する右側板に右間隔を設け、前記右側板に対向すると共に、前記本体の内方に位置する内方右側板と、
正面視、前記本体の左に位置する左側板に左間隔を設け、前記左側板に対向すると共に、前記本体の内方に位置する内方左側板と、
前記本体の右側板と前記内方右側板とにそれぞれ固定されると共に、前記本体の奥行き方向に設けられた前記奥行き方向に長い右支持部材と、
前記本体の左側板と前記内方左側板とにそれぞれ当接して固定されると共に、前記本体の奥行き方向に設けられた前記奥行き方向に長い左支持部材と、
前記本体の正面の上方部を覆うと共に、前記右側板の上方部と前記左側板の上方部とにそれぞれ固定された上方正面板と、
前記右間隔の内、前記上方正面板の下方と前記右支持部材の上方の間の隙間である右上隙間と、
前記右間隔の内、前記右支持部材の下方と前記本体の底板の上方の間の隙間である右下隙間と、
前記左間隔の内、前記上方正面板の下方と前記左支持部材の上方の間の隙間である左上隙間と、
前記左間隔の内、前記左支持部材の下方と前記本体の底板の上方の間の隙間である左下隙間と、
前記本体の開放された天井を覆い、上面が載置台となる天井載置台と、
前記右上隙間と前記左上隙間とにそれぞれ挿入され、平面視、コ字状の第１の引き出し部材と、
前記右下隙間と前記左下隙間とにそれぞれ挿入され、平面視、コ字状の第２の引き出し部材とを備え、
前記第１の引き出し部材は、前記右上隙間に挿入される第１の右引き出し部、前記左上隙間に挿入される第１の左引き出し部、前記本体の正面の前記上方正面板の下方を覆う第１の正面引き出し部を有し、底部及び前記第１の右引き出し部と前記第１の左引き出し部を接続する背面部を有さず、
前記第１の引き出し部材が前記本体から引き出された前記第１の引き出し部材の開放された天井は上面が載置台となる第１の載置台で覆われ、
前記第２の引き出し部材は、前記右下隙間に挿入される第２の右引き出し部、前記左下隙間に挿入される第２の左引き出し部、前記本体の正面の前記第１の正面引き出し部の下方を覆う第２の正面引き出し部を有し、底部及び前記第２の右引き出し部と前記第２の左引き出し部を接続する背面部を有さず、
前記第２の引き出し部材が前記本体から引き出された前記第２の引き出し部材の開放された天井は上面が載置台となる第２の載置台で覆われている
ことを特徴とするひな壇。
【請求項２】
第１の右引き出し部の内方右側板の側に突出する第１の右係止部と、
前記内方右側板に設けられ、前記第１の右係止部に係止される水平方向に長い第１の右長孔と、
前記第１の右係止部より下方にあって、第２の右引き出し部の前記内方右側板の側に突出する第２の右係止部と、
前記内方右側板に設けられ、前記第１の右長孔より下方にあって、前記第２の右係止部に係止される水平方向に長い第２の右長孔と、
第１の左引き出し部の内方左側板の側に突出する第１の左係止部と、
前記内方左側板に設けられ、前記第１の左係止部に係止される水平方向に長い第１の左長孔と、
前記第１の左係止部より下方にあって、第２の左引き出し部の内方左側板の側に突出する第２の左係止部と、
前記内方左側板に設けられ、前記第１の左長孔より下方にあって、前記第２の左係止部に係止される水平方向に長い第２の左長孔とが設けられている
ことを特徴とする請求項１記載のひな壇。
【請求項３】
第１の右長孔の端部の内、正面視、本体の正面に近い側の端部が第１の右長孔の前側の端部、前記本体の正面に遠い側の端部が第１の右長孔の後側の端部であり、
前記第２の右長孔の端部の内、正面視、本体の正面に近い側の端部が第２の右長孔の前側の端部、前記本体の正面に遠い側の端部が第２の右長孔の後側の端部であり、
前記第１の左長孔の端部の内、正面視、本体の正面に近い側の端部が第１の左長孔の前側の端部、前記本体の正面に遠い側の端部が第１の左長孔の後側の端部であり、
前記第２の左長孔の端部の内、正面視、本体の正面に近い側の端部が第２の左長孔の前側の端部、前記本体の正面に遠い側の端部が第２の左長孔の後側の端部であり、
第１の右係止部が前記第１の右長孔の前側の端部に、第１の左係止部が前記第１の左長孔の前側の端部に、それぞれ係止した状態において、第１の引き出し部材の開放された天井が第１の載置台で覆われ、
第２の右係止部が前記第２の右長孔の前側の端部に、第２の左係止部が前記第２の左長孔の前側の端部に、それぞれ係止した状態において、第２の引き出し部材の開放された天井が第２の載置台で覆われている
ことを特徴とする請求項２記載のひな壇。
【請求項４】
内方右側板に対向して設けられた最内方右側板と、
内方左側板に対向して設けられた最内方左側板とを備えている
ことを特徴とする請求項１記載のひな壇。
【請求項５】
本体の底面に位置する底板と、
前記本体の背面に位置する背面板と、
この背面板と右側板と上方正面板にそれぞれ固定される右上支持部材と、
前記背面板と左側板と上方正面板にそれぞれ固定される左上支持部材と、
内方右側板に対向して設けられた最内方右側板と、
内方左側板に対向して設けられた最内方左側板とを備え、
前記右上支持部材の下端面に前記最内方右側板の上端部及び前記内方右側板の上端部が、前記底板の上面に前記最内方右側板の下端部及び前記内方右側板の下端部が、それぞれ当接し、
前記左上支持部材の下端面に前記最内方左側板の上端部及び前記内方左側板の上端部が、前記底板の上面に前記最内方左側板の下端部及び前記内方左側板の下端部が、それぞれ当接している
ことを特徴とする請求項１記載のひな壇。
【考案の詳細な説明】
【技術分野】
【０００１】
本考案は、ひな壇に係り、特に、引き出し部材の枠内の大きさに規制を受けないひな壇に関する。
【背景技術】
【０００２】
従来、例えば、箱体枠の前方側に二段の引き出し枠を出し入れ自在に設けると共に前記二段の引き出し枠内のそれぞれに雛人形を収納した人形の収納飾り壇箱がある（特許文献１参照）。
【先行技術文献】
【特許文献】
【０００３】
【特許文献１】実開平６−３１７９４号公報
【考案の概要】
【考案が解決しようとする課題】
【０００４】
ところが、上記人形の収納飾り壇箱にあっては、雛人形を引き出し枠内に収納する関係上、雛人形の大きさが引き出し枠内に収納できる寸法に制約を受けるという上問題点があった。
【０００５】
本考案は、上記の問題点を除去するようにした壇箱を提供することを目的とする。
【課題を解決するための手段】
【０００６】
請求項１記載のひな壇は、外形が略直方体形状で、天井が開放され、内部に収納部を有した本体と、正面視、前記本体の右に位置する右側板に右間隔を設け、前記右側板に対向すると共に、前記本体の内方に位置する内方右側板と、正面視、前記本体の左に位置する左側板に左間隔を設け、前記左側板に対向すると共に、前記本体の内方に位置する内方左側板と、前記本体の右側板と前記内方右側板とにそれぞれ固定されると共に、前記本体の奥行き方向に設けられた前記奥行き方向に長い右支持部材と、前記本体の左側板と前記内方左側板とにそれぞれ当接して固定されると共に、前記本体の奥行き方向に設けられた前記奥行き方向に長い左支持部材と、前記本体の正面の上方部を覆うと共に、前記右側板の上方部と前記左側板の上方部とにそれぞれ固定された上方正面板と、前記右間隔の内、前記上方正面板の下方と前記右支持部材の上方の間の隙間である右上隙間と、前記右間隔の内、前記右支持部材の下方と前記本体の底板の上方の間の隙間である右下隙間と、前記左間隔の内、前記上方正面板の下方と前記左支持部材の上方の間の隙間である左上隙間と、前記左間隔の内、前記左支持部材の下方と前記本体の底板の上方の間の隙間である左下隙間と、前記本体の開放された天井を覆い、上面が載置台となる天井載置台と、前記右上隙間と前記左上隙間とにそれぞれ挿入され、平面視、コ字状の第１の引き出し部材と、
前記右下隙間と前記左下隙間とにそれぞれ挿入され、平面視、コ字状の第２の引き出し部材とを備え、前記第１の引き出し部材は、前記右上隙間に挿入される第１の右引き出し部、前記左上隙間に挿入される第１の左引き出し部、前記本体の正面の前記上方正面板の下方を覆う第１の正面引き出し部を有し、底部及び前記第１の右引き出し部と前記第１の左引き出し部を接続する背面部を有さず、前記第１の引き出し部材が前記本体から引き出された前記第１の引き出し部材の開放された天井は上面が載置台となる第１の載置台で覆われ、前記第２の引き出し部材は、前記右下隙間に挿入される第２の右引き出し部、前記左下隙間に挿入される第２の左引き出し部、前記本体の正面の前記第１の正面引き出し部の下方を覆う第２の正面引き出し部を有し、底部及び前記第２の右引き出し部と前記第２の左引き出し部を接続する背面部を有さず、前記第２の引き出し部材が前記本体から引き出された前記第２の引き出し部材の開放された天井は上面が載置台となる第２の載置台で覆われているものである。
【０００７】
また、請求項２記載のひな壇は、請求項１記載のひな壇において、第１の右引き出し部の内方右側板の側に突出する第１の右係止部と、前記内方右側板に設けられ、前記第１の右係止部に係止される水平方向に長い第１の右長孔と、前記第１の右係止部より下方にあって、第２の右引き出し部の前記内方右側板の側に突出する第２の右係止部と、前記内方右側板に設けられ、前記第１の右長孔より下方にあって、前記第２の右係止部に係止される水平方向に長い第２の右長孔と、第１の左引き出し部の内方左側板の側に突出する第１の左係止部と、前記内方左側板に設けられ、前記第１の左係止部に係止される水平方向に長い第１の左長孔と、前記第１の左係止部より下方にあって、第２の左引き出し部の内方左側板の側に突出する第２の左係止部と、前記内方左側板に設けられ、前記第１の左長孔より下方にあって、前記第２の左係止部に係止される水平方向に長い第２の左長孔とが設けられている。
【０００８】
また、請求項３記載のひな壇は、請求項２記載のひな壇において、第１の右長孔の端部の内、正面視、本体の正面に近い側の端部が第１の右長孔の前側の端部、前記本体の正面に遠い側の端部が第１の右長孔の後側の端部であり、前記第２の右長孔の端部の内、正面視、本体の正面に近い側の端部が第２の右長孔の前側の端部、前記本体の正面に遠い側の端部が第２の右長孔の後側の端部であり、前記第１の左長孔の端部の内、正面視、本体の正面に近い側の端部が第１の左長孔の前側の端部、前記本体の正面に遠い側の端部が第１の左長孔の後側の端部であり、前記第２の左長孔の端部の内、正面視、本体の正面に近い側の端部が第２の左長孔の前側の端部、前記本体の正面に遠い側の端部が第２の左長孔の後側の端部であり、第１の右係止部が前記第１の右長孔の前側の端部に、第１の左係止部が前記第１の左長孔の前側の端部に、それぞれ係止した状態において、第１の引き出し部材の開放された天井が第１の載置台で覆われ、第２の右係止部が前記第２の右長孔の前側の端部に、第２の左係止部が前記第２の左長孔の前側の端部に、それぞれ係止した状態において、第２の引き出し部材の開放された天井が第２の載置台で覆われているものである。
【０００９】
また、請求項４記載のひな壇は、請求項１記載のひな壇において、内方右側板に対向して設けられた最内方右側板と、内方左側板に対向して設けられた最内方左側板とを備えているものである。
【００１０】
また、請求項５記載のひな壇は、請求項１記載のひな壇において、本体の底面に位置する底板と、前記本体の背面に位置する背面板と、この背面板と右側板と上方正面板にそれぞれ固定される右上支持部材と、前記背面板と左側板と上方正面板にそれぞれ固定される左上支持部材と、内方右側板に対向して設けられた最内方右側板と、内方左側板に対向して設けられた最内方左側板とを備え、前記右上支持部材の下端面に前記最内方右側板の上端部及び前記内方右側板の上端部が、前記底板の上面に前記最内方右側板の下端部及び前記内方右側板の下端部が、それぞれ当接し、前記左上支持部材の下端面に前記最内方左側板の上端部及び前記内方左側板の上端部が、前記底板の上面に前記最内方左側板の下端部及び前記内方左側板の下端部が、それぞれ当接しているものである。
【考案の効果】
【００１１】
請求項１記載のひな壇によれば、第１の引き出し部材は、右上隙間に挿入される第１の右引き出し部、左上隙間に挿入される第１の左引き出し部、本体の正面の上方正面板の下方を覆う第１の正面引き出し部を有し、底部及び前記第１の右引き出し部と前記第１の左引き出し部を接続する背面部を有さず、また、第２の引き出し部材は、右下隙間に挿入される第２の右引き出し部、左下隙間に挿入される第２の左引き出し部、本体の正面の第１の正面引き出し部の下方を覆う第２の正面引き出し部を有し、底部及び前記第２の右引き出し部と前記第２の左引き出し部を接続する背面部を有さないため、雛人形を収納した箱、調度品を収納した箱を本体内に収納しても、第１、第２の引き出し部材は、それぞれ底部及び背面部を有さず、第１、第２の引き出し部材の枠内の大きさに規制を受けず、しかも、本体内から雛人形、調度品を取り出し、天井載置台、第１、第２の載置台に飾った後の雛人形、調度品を取り出した空の箱をも第１、第２の引き出し部材は、それぞれ底部及び背面部を有さず、第１、第２の引き出し部材の枠内の大きさに規制を受けないため、本体内に収納することができ、使用勝手の良好なひな壇を得ることができる。
【００１２】
また、請求項２記載のひな壇によれば、上述した請求項１記載の考案の効果に加え、第１、第２の右係止部が第１、第２の右長孔の前側の端部に、第１、第２の左係止部が第１、第２の左長孔の前側の端部に、それぞれ係止することにより、第１、第２の引き出し部材が停止し、第１、第２の引き出し部材が本体から離脱するのを防ぐことができる。
【００１３】
また、請求項３記載のひな壇によれば、上述した請求項２記載の考案の効果に加え、
、第１の右係止部が第１の右長孔の前側の端部に、第１の左係止部が第１の左長孔の前側の端部に、それぞれ係止した状態において、第１の引き出し部材の開放された天井が第１の載置台で覆われ、第２の右係止部が第２の右長孔の前側の端部に、第２の左係止部が第２の左長孔の前側の端部に、それぞれ係止した状態において、第２の引き出し部材の開放された天井が第２の載置台で覆われているため、第１、第２の右長孔の前側の端部、第１、第２の左長孔の前側の端部の位置決め機能により、第１、第２の載置台を容易に設置することができる。
【００１４】
また、請求項４記載のひな壇によれば、上述した請求項１記載の考案の効果に加え、
最内方右側板により第１、第２の右係止部が、最内方左側板により第１、第２の左係止部が、それぞれが覆われて外から見えないようにすると共に、第１、第２の右長孔、第１、第２の左長孔に異物が混入しないようにして、第１、第２の引き出し部材の引き出し動作に支障を生じないようにすることができる。
【００１５】
また、請求項５記載のひな壇によれば、上述した請求項１記載の考案の効果に加え、
最内方右側板により第１、第２の右係止部が、最内方左側板により第１、第２の左係止部が、それぞれが覆われて外から見えないようにすると共に、第１、第２の右長孔、第１、第２の左長孔に異物が混入しないようにして、第１、第２の引き出し部材の引き出し動作に支障を生じないようにすることができ、しかも、右上支持部材の下端面に最内方右側板の上端部及び内方右側板の上端部が、底板の上面に最内方右側板の下端部及び内方右側板の下端部が、それぞれ当接し、左上支持部材の下端面に最内方左側板の上端部及び内方左側板の上端部が、底板の上面に最内方左側板の下端部及び内方左側板の下端部が、それぞれ当接しているため、本体の強度を向上させることができる。
【図面の簡単な説明】
【００１６】
【図１】図１は、本考案の一実施例のひな壇の使用例の概略的斜視図である。
【図２】図２は、図１のひな壇を形成するために、雛人形、調度品を収納した箱を取り出している状態を示す概略的断面図である。
【図３】図３は、図２のひな壇の本体の概略的斜視図である。
【図４】図４は、図２のひな壇の本体から、第１、第２の引き出し部材を引き出し、載置台、第１、第２の載置台を設置する前の状態を示す概略的斜視図である。
【図５】図５は、図４の概略的断面図である。
【図６】図６は、図３の概略的断面図である。
【図７】図７は、図６の７−７線による概略的断面図である。
【図８】図８は、図６の８−８線による概略的断面図である。
【図９】図９は、図４の第１の引き出し部材の概略的斜視図である。
【図１０】図１０は、図９の概略的平面図である。
【図１１】図１１は、図４の第２の引き出し部材の概略的斜視図である。
【図１２】図１２は、図１１の概略的平面図である。
【図１３】図１３は、図３の本体と異なる他の実施例の本体の概略的斜視図である。
【図１４】図１４は、図１３の本体の概略的断面図である。
【図１５】図１５は、図１４の１５−１５線による概略的断面図である。
【考案を実施するための形態】
【００１７】
本考案の一実施例のひな壇を図面を参照して説明する。
（実施例１  図１乃至図１２）
図１〜図８に示すＨは、雛人形や調度品などを並べて飾るひな壇で、ひな壇Ｈは、外形が略直方体形状で、天井が開放され、内部に収納部を有した本体１を有している。
ひな壇Ｈの不使用時、本体１は、内部に雛人形、調度品等を収納した箱２を収納し、
ひな壇Ｈの使用時、本体１は、内部に雛人形、調度品等を取り出した空の箱２を収納することができるものである。
本体１は、正面視、本体１の右に位置する右側板１１、本体１の左に位置する左側板
１２、本体１の背面に位置する背面板１３、本体１の底面に位置する底板１４とから構成され、本体１の天井は、開放されている（図３参照）。
【００１８】
図６に示す２１は内方右側板で、内方右側板２１は、右側板１１に右間隔Ｒ１を設け、右側板１１に対向すると共に、本体１の内方に位置するようになっている。
２２は内方左側板で、内方左側板２２は、左側板１２に左間隔Ｒ２を設け、左側板１２に対向すると共に、本体１の内方に位置するようになっている。
また、５１は右支持部材で、右支持部材５１は、右側板１１と内方右側板２１とにそれぞれ固定（固定は、例えば、接着剤によって固定される。）されると共に、本体１の奥行き方向に設けられた奥行き方向に長いものとなっている。
また、５２は左支持部材で、左支持部材５２は、左側板１２と内方左側板２２とにそれぞれ固定（固定は、例えば、接着剤によって固定される。）されると共に、本体１の奥行き方向に設けられた奥行き方向に長いものとなっている。
また、図１、図３、図４及び図５に示す１０は上方正面板、上方正面板１０は、本体１の正面の上方部を覆うと共に、右側板１１の上方部と左側板１２の上方部とにそれぞれ固定されている（固定は、例えば、接着剤によって固定される。）。
【００１９】
上記した右間隔Ｒ１の内、上方正面板１０の下方と右支持部材５１の上方の間の隙間は、右上隙間Ｒ１１である（図６参照）。
上記した右間隔Ｒ１の内、右支持部材５１の下方と本体１の底板１４の上方の間の隙間は、右下隙間Ｒ１２である（図６参照）。
上記した左間隔Ｒ２の内、上方正面板１０の下方と左支持部材５２の上方の間の隙間は、左上隙間Ｒ２１である（図６参照）。
上記した左間隔Ｒ２の内、左支持部材５２の下方と本体１の底板１４の上方の間の隙間は、左下隙間Ｒ２２である（図６参照）。
【００２０】
また、図４に示す１００は天井載置台で、天井載置台１００は、本体１の開放された天井を覆い、上面が載置台、例えば、雛人形の載置台となる。
１０１は第１の載置台で、第１の載置台１０１は、第１の引き出し部材６１が図４に示すように、本体１から引き出された第１の引き出し部材６１の開放された天井を覆うもので、第１の載置台１０１の上面は雛人形や調度品等の載置台となる。
なお、第１の引き出し部材６１は、右上隙間Ｒ１１と左上隙間Ｒ２１とにそれぞれ挿入され、平面視、コ字状となっている（図６、図９及び図１０）。そして、第１の引き出し部材６１は、右上隙間Ｒ１１に挿入される第１の右引き出し部６１ａ、左上隙間Ｒ２１に挿入される第１の左引き出し部６１ｂ、本体１の正面の上方正面板１０の下方を覆う第１の正面引き出し部６１ｃを有し、底部及び第１の右引き出し部６１ａと第１の左引き出し部６１ｂを接続する背面部を有していない。
【００２１】
また、図４に示す１０２は第２の載置台で、第２の載置台１０２は、第２の引き出し部材６２が図４に示すように、本体１から引き出された第２の引き出し部材６２の開放された天井を覆うもので、第２の載置台１０２の上面は雛人形や調度品等の載置台となる。
なお、第２の引き出し部材６２は、右下隙間Ｒ１２と左下隙間Ｒ２２とにそれぞれ挿入され、平面視、コ字状となっている（図６、図９及び図１０）。そして、第２の引き出し部材６２は、右上隙間Ｒ１２に挿入される第２の右引き出し部６２ａ、左上隙間Ｒ２２に挿入される第２の左引き出し部６２ｂ、本体１の正面の第１の正面引き出し部６１ｃの下方を覆う第２の正面引き出し部６２ｃを有し、底部及び前記第２の右上引き出し部６２ａと第２の左上引き出し部６２ｂを接続する背面部を有していない。
【００２２】
従って、上述したひな壇Ｈによれば、第１の引き出し部材６１は、右上隙間Ｒ１１に挿入される第１の右引き出し部６１ａ、左上隙間Ｒ２１に挿入される第１の左引き出し部６１ｂ、本体１の正面の上方正面板１０の下方を覆う第１の正面引き出し部６１ｃを有し、底部及び第１の右引き出し部６１ａと第１の左引き出し部６１ｂを接続する背面部を有さず、また、第２の引き出し部材６２は、右下隙間Ｒ１２に挿入される第２の右引き出し部６２ａ、左下隙間Ｒ２２に挿入される第２の左引き出し部６２ｂ、本体１の正面の第１の正面引き出し部６１ｃの下方を覆う第２の正面引き出し部６２ｃを有し、底部及び第２の右引き出し部６２ａと第２の左引き出し部６２ｂを接続する背面部を有さないため、雛人形を収納した箱２、調度品を収納した箱２を本体１内に収納しても、第１、第２の引き出し部材６１，６２は、それぞれ底部及び背面部を有さず、規制を受けず、しかも、本体１内から雛人形、調度品を取り出し、天井載置台１００、第１、第２の載置台１０１，１０２に飾った後の雛人形、調度品を取り出した空の箱２をも第１、第２の引き出し部材６１，６２は、それぞれ底部及び背面部を有さず、規制を受けないため、本体１内に収納することができ、使用勝手の良好なひな壇Ｈを得ることができる。
【００２３】
また、図７に示す６１ｄは第１の右係止部で、第１の右係止部６１ｄは、第１の右引き出し部６１ａの内方右側板２１の側に突出するように設けられている。
６２ｄは第２の右係止部で、第２の右係止部６２ｄは、第２の右引き出し部６２ａの内方右側板２１の側に突出するように設けられている。
また、図７に示す２１ｄは第１の右長孔で、第１の右長孔２１ｄは、内方右側板２１に設けられ、第１の右係止部６１ｄに係止される水平方向に長いものとなっている。
２１ｅは第２の右長孔で、第２の右長孔２１ｅは、内方右側板２１に設けられ、第２の右係止部６２ｄに係止される水平方向に長いものとなっている。
６１ｅは第１の左係止部で、第１の左係止部６１ｅは、第１の左引き出し部６１ｂの内方左側板２２の側に突出するように設けられている。
６２ｅは第２の左係止部で、第２の左係止部６２ｅは、第２の左引き出し部６２ｂの内方左側板２２の側に突出するように設けられている。
２２ｄは第１の左長孔で、第１の左長孔２２ｄは、内方左側板２２に設けられ、第１の左係止部６１ｅに係止される水平方向に長いものとなっている。
２２ｅは第２の左長孔で、第２の左長孔２２ｅは、内方左側板２２に設けられ、第２の左係止部６２ｅに係止される水平方向に長いものとなっている。
そして、第１の右係止部６１ｄが第１の右長孔２１ｄの前側の端部Ａに、第１の左係止部６１ｅが第１の左長孔２２ｄの前側の端部(図示せず)に、それぞれ係止することにより、第１の引き出し部材６１が停止し、第１の引き出し部材６１が本体１から離脱するのを防ぐことができる。
同様に、第２の右係止部６２ｄが第２の右長孔２１ｅの前側の端部Ｃに、第２の左係止部６２ｅが第２の左長孔２２ｅの前側の端部(図示せず)に、それぞれ係止することにより、第２の引き出し部材６２が停止し、第２の引き出し部材６２が本体１から離脱するのを防ぐことができる。
そして、第１の引き出し部材６１が引き出された状態にあって、第１の引き出し部材６１の開放された天井が図５に示すように第１の載置台１０１で覆われ、また、第２の引き出し部材６２が引き出された状態にあって、第２の引き出し部材６２の開放された天井が図５に示すように第２の載置台１０２で覆われるようになっている。
【００２４】
また、第１の右長孔２１の端部の内、正面視、本体１の正面に近い側の端部が第１の右長孔２１ｄの前側の端部Ａ、本体１の正面に遠い側の端部が第１の右長孔２１ｄの後側の端部Ｅであり、第２の右長孔２１ｅの端部の内、正面視、本体１の正面に近い側の端部が第２の右長孔２１ｅの前側の端部Ｃ、本体１の正面に遠い側の端部が第２の右長孔２１ｅの後側の端部Ｇであり、第１の左長孔２２ｄの端部の内、正面視、本体１の正面に近い側の端部が第１の左長孔２２ｄの前側の端部(図示せず)、本体１の正面に遠い側の端部が第１の左長孔２２ｄの後側の端部(図示せず)であり、第２の左長孔２２ｅの端部の内、正面視、本体１の正面に近い側の端部が第２の左長孔２２ｅの前側の端部(図示せず)、本体１の正面に遠い側の端部が第２の左長孔の後側の端部(図示せず)である。
【００２５】
なお、上述したように、第１の引き出し部材６１が引き出された状態にあって、第１の引き出し部材６１の開放された天井が図５に示すように第１の載置台１０１で覆われ、また、第２の引き出し部材６２が引き出された状態にあって、第２の引き出し部材６２の開放された天井が図５に示すように第２の載置台１０２で覆われるようになっているが、望ましくは、第１の右係止部６１ｄが第１の右長孔２１ｄの前側の端部Ａに、第１の左係止部６１ｅが第１の左長孔２２ｄの前側の端部(図示せず)に、それぞれ係止した状態において、第１の引き出し部材６１の開放された天井が第１の載置台１０１で覆われ、第２の右係止部６２ｄが第２の右長孔２１ｅの前側の端部Ｃに、第２の左係止部６２ｅが第２の左長孔２２ｅの前側の端部(図示せず)に、それぞれ係止した状態において、第２の引き出し部材６２の開放された天井が第２の載置台１０２で覆われているようにするのが良い。
これは、第１、第２の右長孔２１ｄ、２１ｅの前側の端部Ａ、Ｃ、第１、第２の左長孔の前側の端部(図示せず)の位置決め機能により、第１、第２の載置台１０１、１０２を容易に設置することができるからである。
【００２６】
（実施例２  図１３乃至図１５）
上述した実施例においては、第１の右係止部６１ｄ、第２の右係止部６２ｄ、第１の左係止部６１ｅ、第２の左係止部６２ｅが露出しているが、次に述べる実施例（図１３乃至図１５）においては、第１の右係止部６１ｄ、第２の右係止部６２ｄ、第１の左係止部６１ｅ、第２の左係止部６２ｅを最内方右側板８、最内方左側板９で覆うようにしている(図６及び図１４参照）。
すなわち、最内方右側板８は、内方右側板２１に対向して、最内方左側板９は、内方左側板２２に対向して、それぞれ設けられている。
【００２７】
このように、最内方右側板８により第１、第２の右係止部６１ｄ、６２ｄが、最内方左側板９により第１、第２の左係止部６１ｅ、６２ｅが、それぞれが覆われて外から見えないようにする(図６及び図１４参照）と共に、第１、第２の右長孔２１ｄ、２１ｅ、第１、第２の左長孔２２ｄ、２２ｅ、に異物が混入しないようにして、第１、第２の引き出し部材６１，６２の引き出し動作に支障を生じないようにすることができる。
【００２８】
なお、図３に示す１６は、背面板１３と右側板１１と上方正面板１０にそれぞれ固定（例えば、接着剤により固定する。）される右上支持部材で、図３に示す１７は、背面板１３と左側板２２と上方正面板１０にそれぞれ固定（例えば、接着剤により固定する。）される左上支持部材である。
そして、図１４に示すように、右上支持部材１６の下端面に最内方右側板８の上端部、内方右側板２１の上端部が、底板１４の上面に最内方右側板８の下端部、内方右側板２１の下端部が、それぞれ当接し、また、左上支持部材１７の下端面に最内方左側板９の上端部、内方左側板２２の上端部が、底板１４の上面に最内方左側板９の下端部、内方左側板２２の下端部が、それぞれ当接している。
【００２９】
このように、最内方右側板８により第１、第２の右係止部６１ｄ、６２ｄが、最内方左側板９により第１、第２の左係止部６１ｅ、６２ｅが、それぞれが覆われて外から見えないようにすると共に、第１、第２の右長孔２１ｄ、２１ｅ、第１、第２の左長孔２２ｄ、２２ｅ、に異物が混入しないようにして、第１の引き出し部材６１，６２の引き出し動作に支障を生じないようにすることができ、しかも、右上支持部材１６の下端面に最内方右側板８の上端部、内方右側板２１の上端部が、底板１４の上面に最内方右側板８の下端部、内方右側板２１の下端部が、それぞれ当接し、左上支持部材１７の下端面に最内方左側板９の上端部、内方左側板２２の上端部が、底板１４の上面に最内方左側板９の下端部、内方左側板２２の下端部が、それぞれ当接しているため、本体１の強度を向上させることができる。
【符号の説明】
【００３０】
Ｈ     ひな壇
１     本体
６１    第１の引き出し部材
６１ａ  第１の右引き出し部
６１ｂ  第１の左引き出し部
６１ｃ  第１の正面引き出し部
６２    第２の引き出し部材
６２ａ  第２の右引き出し部
６２ｂ  第２の左引き出し部
６２ｃ  第２の正面引き出し部
Ｒ１１  右上隙間
Ｒ１２  右下隙間
Ｒ２１  左上隙間
Ｒ２２  左下隙間
１００  天井載置台
１０１  第１の載置台
１０２  第２の載置台
【図１】
0003188749.tif 000003
【図２】
0003188749.tif 000004
【図３】
0003188749.tif 000005
【図４】
0003188749.tif 000006
【図５】
0003188749.tif 000007
【図６】
0003188749.tif 000008
【図７】
0003188749.tif 000009
【図８】
0003188749.tif 000010
【図９】
0003188749.tif 000011
【図１０】
0003188749.tif 000012
【図１１】
0003188749.tif 000013
【図１２】
0003188749.tif 000014
【図１３】
0003188749.tif 000015
【図１４】
0003188749.tif 000016
【図１５】
0003188749.tif 000017